(57)【要約】【課題】モーター束線のフェライトコアを電磁ノイズ源であるモーター基板近くに配置することで放射される電磁ノイズを抑制し、同時に、追加部品なしにフェライトコアを保持することでコストアップなしに周囲との干渉による破損を防止する。そのことで製造コストを増大させることなく、性能及び信頼性を向上できる走査光学装置を提供すること。【解決手段】光ビームを発する光源としての発光手段と、光ビームを偏向走査する偏向走査手段と、光ビームの光路に配置した結像光学部品と、これらを取り付け収容する枠体と、該枠体の開放側を覆うフタを有する走査光学装置であって、前記偏向走査手段に接続される束線にノイズ除去手段が取り付けられていて、前記ノイズ除去手段を前記偏向走査手段近傍に保持できる形状を前記枠体が具備していることを特徴とする。【選択図】図１
2005202040.tif 000002
【特許請求の範囲】
【請求項１】
光ビームを発する光源としての発光手段と、光ビームを偏向走査する偏向走査手段と、光ビームの光路に配置した結像光学部品と、これらを取り付け収容する枠体と、該枠体の開放側を覆うフタを有する走査光学装置であって、
前記偏向走査手段に接続される束線にノイズ除去手段が取り付けられていて、前記ノイズ除去手段を前記偏向走査手段近傍に保持できる形状を前記枠体が具備していることを特徴とする走査光学装置。
【請求項２】
前記ノイズ除去手段が、前記枠体に形成された複数のカギ状突起によって該枠体に付勢して保持されることを特徴とする請求項１記載の走査光学装置。
【請求項３】
前記ノイズ除去手段が、前記枠体に形成された規制部と前記フタとによって形成される空間に収容されて保持されることを特徴とする請求項１記載の走査光学装置。
【請求項４】
前記ノイズ除去手段が環状のフェライトコアであることを特徴とする請求項１〜３の何れかに記載の走査光学装置。
【発明の詳細な説明】
【技術分野】
【０００１】
本発明は、レーザービームプリンターやデジタル複写機等の画像形成装置に用いられる走査光学装置に関するものである。
【背景技術】
【０００２】
レーザービームプリンターやデジタル複写機等の画像形成装置に用いられる走査光学装置は、一般的には図９に示す模式平面図のように、半導体レーザー２ａやコリメーターレンズ２ｂ等をホルダー２ｃに組み付けてユニット化した光源ユニット２、光源ユニット２から発せられたレーザービームを副走査方向（偏向走査平面と垂直）について集光し、ポリゴンミラー上で結像させるシリンダレンズ３、光源ユニット２から発せられたレーザービームを偏向走査するポリゴンミラー４ａ及びポリゴンミラーを回転駆動させるモーター４ｂ等をユニット化した偏向走査ユニット４、偏向走査されたレーザービームを図示しない感光体ドラムの表面に結像させ、又、感光体ドラム表面でのレーザービームの走査速度を一定にするための走査レンズ５ａ，５ｂ、折り返しミラー６、レーザービームを検出するための光検出センサー８、レーザービームを光検出センサー８に導くための集光レンズ７等を有し、シリンダレンズ３や偏向走査ユニット４や走査レンズ（５ａ，５ｂ）や折り返しミラー６や集光レンズ７は枠体１の内部に組み付けされ、ビス或はそれ以外の部品固定手段によって係止される。
【０００３】
偏向走査ユニット４は、モーター基板４ｃ上にＩＣ（４ｄ）やコネクタ（４ｅ）を実装している。枠体１の上側開口は、枠体１内部に必要部品を全て組み込んだ後、図示しないフタによって閉じられる。
【０００４】
枠体１には複数の固定用の穴１ａが設けられていて、フタを組み付けて完成した走査光学装置は、画像形成装置内に取り付けられビス固定される。
【０００５】
光源ユニットや偏向走査ユニットはそれぞれ光源用束線２ｄ、モーター束線４ｆによって画像形成装置の制御基板と接続される。
【０００６】
制御基板からの動作命令によって偏向走査ユニットは回転動作を開始し、ポリゴンミラー４ａは、モーター基板４ｃに実装されたＩＣの制御で定速回転する。書き込み情報に従って光源ユニットから変調発光され、偏向走査ユニットによって走査されるレーザービームは、走査光学装置の枠体下部に設けられた出射口９から図示しない感光体ドラムに向かって照射され、感光体ドラム表面に書き込み情報に基づいた潜像を形成させる。
【０００７】
感光体ドラム表面に形成された潜像はトナーによって現像され、その画像情報は記録紙に転写され、トナーが熱によって記録紙上に固定されて画像形成装置から出力される。
【発明の開示】
【発明が解決しようとする課題】
【０００８】
しかしながら、上記従来技術によれば、偏向走査ユニットの回転動作の際に、回転制御するＩＣから回路開閉に伴う電磁ノイズが発生し、モーター基板上の回路パターンを経てモーター束線に入った電磁ノイズが周囲に放射されると、周囲にある機器に対して誤動作を引き起こす原因となる。
【０００９】
又、モーター束線と他の束線が接近すると電磁ノイズが伝播して不具合を引き起こす原因になるので、接近を防止する手段が必要となる。
【００１０】
電磁ノイズ抑制に関する先行技術としてシールド線があるが、高価であって走査光学装置のコストアップとなる。一方、モーター束線にフェライトコアを取り付けると高価なシールド線を使わずに電磁ノイズを抑制することができる。
【００１１】
フェライトコアは電磁ノイズ源であるモーター基板に近いところに配置するのが望ましい。そのことでモーター束線の全長のうち電磁ノイズを周囲に放射する長さが短くなり、放射されるノイズの量を抑制することができる。
【００１２】
しかしながら、フェライトコアをモーター基板と接近させるために、枠体内部において固定しないままモーター基板と隣接した位置に配置すると、組み立て作業や輸送時の傾き或は振動によってモーター基板に接触し、モーター基板上の実装素子やフェライトコア自身を破損する恐れがある。
【００１３】
一方、フェライトコアを走査光学装置の外部に出すと、モーター基板からフェライトコアまでの距離が長くなって電磁ノイズの放射量が多くなるので望ましくない。又、フェライトコアが隣接する部品やユニットに衝突してこれらを破損する恐れがある。又、フェライトコア自身が破損すると破片が画像形成装置内部に入り込み、動作異常等のトラブルを引き起こす恐れがある。
【００１４】
フェライトコアの遊びを規制するために、保持板やタイラップ等の拘束部品でもって固定するの方法が特開２００２−１３１６７３号公報に記載されているが、これら拘束部品を追加することで部品費用が増加し、更に組立工数も増えるので走査光学装置の製造コストが増大することになる。
【００１５】
本発明の目的は、上記従来技術の有する未解決の課題に対処するため、モーター束線のフェライトコアを電磁ノイズ源であるモーター基板近くに配置することで放射される電磁ノイズを抑制し、同時に、追加部品なしにフェライトコアを保持することでコストアップなしに周囲との干渉による破損を防止する。そのことで製造コストを増大させることなく、性能及び信頼性を向上できる走査光学装置を提供することである。
【課題を解決するための手段】
【００１６】
上記目的を達成するため、本発明は、光ビームを発する光源としての発光手段と、光ビームを偏向走査する偏向走査手段と、光ビームの光路に配置した結像光学部品と、これらを取り付け収容する枠体と、該枠体の開放側を覆うフタを有する走査光学装置であって、前記偏向走査手段に接続される束線にノイズ除去手段が取り付けられていて、前記ノイズ除去手段を前記偏向走査手段近傍に保持できる形状を前記枠体が具備していることを特徴とする。
【００１７】
前記ノイズ除去手段が、前記枠体に形成された複数のカギ状突起によって該枠体に付勢して保持されることを特徴とする。
【００１８】
前記ノイズ除去手段が、前記枠体に形成された規制部と前記フタとによって形成される空間に収容されて保持されることを特徴とする。
【００１９】
前記ノイズ除去手段が環状のフェライトコアであることを特徴とする。
【発明の効果】
【００２０】
本発明によれば、モーター束線のフェライトコアを電磁ノイズ源であるモーター基板近くに配置することで放射される電磁ノイズを抑制し、同時に、追加部品なしにフェライトコアを保持することでコストアップなしに周囲との干渉による破損を防止する効果がある。
【００２１】
製造コストを増大させることなく、性能及び信頼性を向上できる走査光学装置を提供することができる。
【００２２】
このような走査光学装置を用いることで、画像形成装置の高性能化、高品質化、低価格化に大きく貢献できる。
【発明を実施するための最良の形態】
【００２３】
以下に本発明の実施の形態を添付図面に基づいて説明する。
【００２４】
＜実施の形態１＞
図１は本発明の実施の形態１に係る走査光学装置の平面図である。
【００２５】
図１において、１は枠体、４ｆはモーター束線、４ｇはフェライトコアである。１１はフェライトコアを挟み込んで保持する部分で、枠体に形成したカギ状突起、所謂スナップフィットである。
【００２６】
図２は図１におけるフェライトコアを保持する部分の拡大図であり、図３はそのＡＡ断面図である。
【００２７】
４ｃはモーター基板、４ｅはコネクタである。１１ａはフェライトコアを押すツメ部で、１１の先端内側に凸に形成されている。１２はフェライトコアの横ずれを制限する突起で、枠体上に形成してある。
【００２８】
フェライトコアを取り付けるときは、カギ状突起１１がそれぞれ外側に弾性変形してフェライトコアを通す。一旦、取り付けられると先端内側のツメ部１１ａによって抜けなくなる。カギ状突起１１に多少の撓みを残すようにしておくと、ツメ部１１ａの押し付け位置とフェライトコア外周の傾斜角度の関係から図３における矢印Ｐの向きの荷重が得られ、フェライトコアは下側、即ち枠体の基部の方向へ押し付けられることになり、フェライトコアはがたつきなしに固定される。
【００２９】
又、横ずれを制限するための突起１２によって、フェライトコアがカギ状突起１１による保持状態から脱落することがなくなる。
【００３０】
組み立て作業や輸送時に傾き或は振動が加えられても飛び出すことはないので、フェライトコアがモーター基板と干渉することはない。
【００３１】
更に、外部からの振動や偏向走査ユニットの振動を受けたときに起こるフェライトコアのビビリを抑えられるので、騒音発生の弊害を防止できる。
【００３２】
モーター束線をフェライトコアにターンさせてあっても配置可能である。又、フェライトコアを横置きにすることを制限するものではない。カギ状突起１１は２つに限る必要はなく、３つ以上でも良い。
【００３３】
＜実施の形態２＞
図４及び図５は本発明の実施の形態２を示す図である。
【００３４】
図４はフェライトコアを保持する箇所を上から見たところの部分図であり、図５は横方向から見た断面図である。
【００３５】
４ｃはモーター基板、４ｅはコネクタ、４ｆはモーター束線、４ｇはフェライトコアである。１３はフェライトコアを保持する部分であり、枠体と一体に形成された二股の突起になっていて、先端の方でカギ形状をした、所謂スナップフィットである。
【００３６】
この二股突起１３の先端外側に凸部１３ａが形成されている。二股の主要部分１３ｂの外側は円筒形で、その直径はフェライトコアの内孔径より少し大きくしてある。
【００３７】
一方、フェライトコアを載せるために、枠体上に高さが同じ複数の柱状突起１４を設けてある。
【００３８】
二股突起１３にフェライトコアを取り付けるときは、二股の部分が内側に弾性変形してフェライトコアの内孔に入り込む。一旦取り付けられると先端外側の凸部１３ａによって抜けなくなる。又、二股の主要部分１３ｂの直径とフェライトコアの内孔径との差によって二股の部分が多少の撓みを残すので、適度な摩擦が生まれ、フェライトコアはがたつきなしに固定される。
【００３９】
束線は二股の間に通すことができる。又、フェライトコアは柱状突起１４によって高さ方向の位置も保持されるので、束線がフェライトコアと枠体の間に挟まれて損傷することを防ぐことができる。
【００４０】
このような二股突起にフェライトコアを取り付けることで、フェライトコアは位置ずれを制限され、先の実施例と同様にモーター基板と干渉することはない。又、モーター基板の近傍に取り付けても振動によるビビリ音を発生することもなくなる。
【００４１】
尚、フェライトコアを保持する部分は２分岐に限る必要はなく、３分岐や４分岐でも良い。
【００４２】
＜実施の形態３＞
図６及び図７は本発明の実施の形態３を示す図である。
【００４３】
図６はフェライトコアを規制する部分の拡大図であり、図７はそのＣＣ断面図である。
【００４４】
１は枠体、４ｃはモーター基板、４ｅはコネクタ、４ｆはモーター束線、４ｇはフェライトコアである。１０は枠体の上側を覆うフタである。１５はフェライトコアの位置ずれを規制する部分で、枠体と一体に形成された壁によって、フェライトコアをその内部に収容できる空間を形成している。
【００４５】
フェライトコアは規制部１５の壁によって位置ずれを制限される。
【００４６】
壁の上端とフタとの隙間をフェライトコア外形より小さくすることで、フェライトコアが脱落しないようにしてある。フタが上側の規制面となるので、上下方向の振動が加えられても壁で囲まれた空間から飛び出すことはない。このように、フェライトコアがモーター基板と干渉することはなくなる。
【００４７】
又、図８に示すように、フタに凸形状を設けて凸形状先端をフェライトコアに接近させ、より効果的にフェライトコアの位置規制をすることもできるし、モーター束線をフェライトコアにターンさせてあっても配置可能である。
【００４８】
又、フェライトコアを横置きにするのも可能である。
【００４９】
尚、壁は必ずしも垂直である必要はなく、傾斜していても良い。又、壁は連続している必要はなく、途切れていても良い。
【産業上の利用可能性】
【００５０】
本発明は、レーザービームプリンターやデジタル複写機等の画像形成装置に用いられる走査光学装置に対して適用可能である。
【図面の簡単な説明】
【００５１】
【図１】本発明の実施の形態１に係る走査光学装置の模式平面図である。
【図２】本発明の実施の形態１を示す部分図である。
【図３】本発明の実施の形態１を示す断面図である。
【図４】本発明の実施の形態２を示す部分図である。
【図５】本発明の実施の形態２を示す断面図である。
【図６】本発明の実施の形態３を示す部分図である。
【図７】本発明の実施の形態３を示す断面図である。
【図８】変形例を示す部分図である。
【図９】従来例を説明する走査光学装置の模式平面図である。
【符号の説明】
【００５２】
１      枠体
１ａ    取付穴
２      光源ユニット
２ｄ    光源用束線
３      シリンダレンズ
４      偏向走査ユニット
４ａ    ポリゴンミラー
４ｂ    モーター
４ｃ    モーター基板
４ｄ    ＩＣ
４ｅ    コネクタ
４ｆ    モーター束線
４ｇ    フェライトコア
５ａ，５ｂ  走査レンズ
６      折り返しミラー
７      集光レンズ
８      光検出センサー
９      出射口
１０    フタ
１１    カギ状突起
１１ａ  ツメ部
１２    位置ずれ防止突起
１３    二股突起
１３ａ  二股突起の凸部
１３ｂ  二股突起の主要部
１４    柱状突起
１５    規制部（壁）
Ｐ      カギ状突起による荷重の方向
【図１】
2005202040.tif 000003
【図２】
2005202040.tif 000004
【図３】
2005202040.tif 000005
【図４】
2005202040.tif 000006
【図５】
2005202040.tif 000007
【図６】
2005202040.tif 000008
【図７】
2005202040.tif 000009
【図８】
2005202040.tif 000010
【図９】
2005202040.tif 000011